(57)【要約】【課題】ピックアップ装置が備えるレーザ光源体のような発熱部位の温度上昇を、一層効果的に抑制する。【解決手段】ピックアップ装置（５）は、一又は複数種類の光ディスク（４１）の記録又は再生に供するものであり、当該ピックアップ装置の筐体としてのピックアップベース（５１）と、このピックアップベースに配設され且つ種類に応じたレーザ光を照射する一又は複数のレーザ光源体（６１）と、少なくとも一のレーザ光源体と熱的に接続されており且つ複数の面を有する放熱板（７１）とを備える。そして、これら複数の面のうち一の面と他の面との境界としての曲げ部の少なくとも一部を含む領域において、放熱板の表裏を貫通するように形成される一又は複数の放熱孔（７５）とを備える。【選択図】図３
2008059623.tif 000002
【特許請求の範囲】
【請求項１】
一又は複数種類の光ディスクの記録又は再生に供するピックアップ装置であって、
当該ピックアップ装置の筐体としてのピックアップベースと、
前記ピックアップベースに配設され且つ前記種類に応じたレーザ光を照射する一又は複数のレーザ光源体と、
少なくとも一の前記レーザ光源体と熱的に接続されており且つ複数の面を有する放熱板と、
前記複数の面のうち一の面と他の面との境界としての曲げ部の少なくとも一部を含む領域において、前記放熱板の表裏を貫通するように形成される一又は複数の放熱孔と
を備えることを特徴とするピックアップ装置。
【請求項２】
前記放熱板は、少なくとも前記レーザ光源体を覆う
ことを特徴とする請求項１に記載のピックアップ装置。
【請求項３】
当該ピックアップ装置は、前記光ディスクの記録又は再生に際して、前記光ディスクを回転させる回転手段を更に備え、
前記放熱孔は、前記回転させられる光ディスクの回転面に沿うように形成される
ことを特徴とする請求項１に記載のピックアップ装置。
【請求項４】
当該ピックアップ装置は、前記光ディスクの記録又は再生に際して、当該ピックアップ装置を所定の進退方向に進退させる進退手段を更に備え、
前記放熱孔は、前記進退方向に交わるように形成される
ことを特徴とする請求項１に記載のピックアップ装置。
【請求項５】
前記領域は、前記一の面と前記他の面とにわたる
ことを特徴とする請求項１に記載のピックアップ装置。
【発明の詳細な説明】
【技術分野】
【０００１】
本発明は、例えばＣＤ（Ｃｏｍｐａｃｔ  Ｄｉｓｃ：ＣＤ）、ＤＶＤ及びＢＤ（Ｂｌｕ-ｒａｙ  Ｄｉｓｃ）のような一又は複数種類の光ディスクの記録又は再生に供するピックアップ装置の技術分野に関する。
【背景技術】
【０００２】
この種のピックアップ装置の動作安定性を確保する上で、例えばレーザ光源体のような発熱部位の温度上昇を防止する必要がある。
【０００３】
このような要請に応えるため、例えばピックアップベースに連通孔を設け、加えて連通孔の内部とピックアップベースの外部とを連通する放熱路を設ける技術が提案されている（特許文献１参照）。この技術によると、レーザ光源体から発せられる熱が放熱路から放熱されるので、レーザ光源体の温度上昇を幾分かは防止できる。
【０００４】
【特許文献１】特開２００４−１３３９６３公報
【発明の開示】
【発明が解決しようとする課題】
【０００５】
しかしながら、例えば前述の特許文献１に開示されているピックアップ装置では、十分な放熱が困難な虞がある。例えば、ＣＤ、ＤＶＤ及びＢＤといった複数種類の光ディスクで共用できるレーザ光源体や、光ディスクに情報を書き込むレーザ光源体が利用されるようになっており、このようなレーザ光源体の発熱量が増加する傾向にあるからである。
【０００６】
本発明は、例えば上述した問題点に鑑みてなされたものであり、レーザ光源体のような発熱部位の温度上昇を一層効果的に抑制することが可能なピックアップ装置を提供することを課題とする。
【課題を解決するための手段】
【０００７】
本発明の請求項１に記載のピックアップ装置は、一又は複数種類の光ディスクの記録又は再生に供するピックアップ装置であって、上述の課題を解決するために、当該ピックアップ装置の筐体としてのピックアップベースと、前記ピックアップベースに配設され且つ前記種類に応じたレーザ光を照射する一又は複数のレーザ光源体と、少なくとも一の前記レーザ光源体と熱的に接続されており且つ複数の面を有する放熱板と、前記複数の面のうち一の面と他の面との境界としての曲げ部の少なくとも一部を含む領域において、前記放熱板の表裏を貫通するように形成される一又は複数の放熱孔とを備える。
【０００８】
本発明の作用及び他の利得は次に説明する実施するための最良の形態から明らかにされよう。
【発明を実施するための最良の形態】
【０００９】
以下、発明を実施するための最良の形態としての本発明の実施形態に係るピックアップ装置について説明する。
【００１０】
本実施形態に係るピックアップ装置は、一又は複数種類の光ディスクの記録又は再生に供するピックアップ装置であって、上述の課題を解決するために、当該ピックアップ装置の筐体としてのピックアップベースと、前記ピックアップベースに配設され且つ前記種類に応じたレーザ光を照射する一又は複数のレーザ光源体と、少なくとも一の前記レーザ光源体と熱的に接続されており且つ複数の面を有する放熱板と、前記複数の面のうち一の面と他の面との境界としての曲げ部の少なくとも一部を含む領域において、前記放熱板の表裏を貫通するように形成される一又は複数の放熱孔とを備える。
【００１１】
本実施形態によれば、例えばレーザ光源体のような発熱部位の温度上昇が、以下のように抑制される。先ず、このピックアップ装置は、一又は複数種類の光ディスクの記録又は再生に供するピックアップ装置である。故にに、当該ピックアップ装置の筐体としてのピックアップベースに配設された一又は複数のレーザ光源体によって、光ディスクの種類に応じたレーザ光が照射される。例えばＣＤ、ＤＶＤ及びＢＤの記録又は再生に供するピックアップ装置であれば、波長が７８５ｎｍ、６６０ｎｍ、４０５ｎｍのレーザ光が、レーザ光源体によって照射される。この照射の際、レーザ光源体は発熱する。例えばレーザ光に変換されずに取り出されない成分は、自己吸収により熱へと変化する。係る熱を放置しておくと、レーザ光源体の動作安定性を確保する上で好ましくない。そこで、放熱板が、少なくとも一のレーザ光源体と熱的に接続されている。ここで「熱的に接続されている」とは、直接的に或いは熱伝導ゲル等の媒体を介して間接的に、熱の移動が可能な状態をいう。そして、このレーザ光源体が動作する際には、レーザ光源体よりも放熱板の方が温度が低い。故に、熱がレーザ光源体から放熱板へと移動して、レーザ光源体の温度上昇が抑制される。ところがこの際、放熱板の温度も、大なり小なり上昇する。然るに本実施形態によれば、放熱板が有する複数の面のうち一の面と他の面との境界としての曲げ部の少なくとも一部を含む領域において、例えば曲げ部で折れ曲がった長方形の領域において、放熱板の表裏を貫通するように、一又は複数の放熱孔が形成されている。故に、光ディスクの回転或いはピックアップ装置の移動により流れる空気が、この放熱孔を介して、放熱板の表側のみならず裏側すなわちレーザ光源体側にも、流入し或いは流出する。従って、レーザ光源体による発熱が効率良く放熱される。加えて、放熱孔は曲げ部の少なくとも一部を含むので、放熱板を曲げ部で曲げ易くなる。すなわち放熱板の加工性も向上するので、実践上非常に有利である。
【００１２】
本実施形態に係るピックアップ装置の一態様では、前記放熱板は、少なくとも前記レーザ光源体を覆う。
【００１３】
この態様によれば、放熱板は、少なくとも前記レーザ光源体を覆っており、典型的には当該ピックアップ装置の底面全体を覆っている。このように放熱に供する面積が極力確保されると、放熱効果の向上が期待される。その一方で、レーザ光源体から熱を受け取った周囲の空気は、放熱板に阻害されて、放熱板の外部へ逃げることが困難である。然るに本実施形態によれば、上述のごとき放熱孔が形成されている。従って、上記空気が放熱孔を介して放熱板の外部へ逃げれるので、放熱に供する面積が極力確保しつつも発熱部位を一層効率良く冷却できる。
【００１４】
本実施形態に係るピックアップ装置の他の態様では、当該ピックアップ装置は、前記光ディスクの記録又は再生に際して、前記光ディスクを回転させる回転手段を更に備え、前記放熱孔は、前記回転させられる光ディスクの回転面に沿うように形成される。
【００１５】
この態様によれば、光ディスクの記録又は再生に際して、光ディスクが、例えばスピンドルモータを有する回転手段によって回転させられる。そして、このときの光ディスクの回転面に沿うようにして、放熱孔が形成されている。故に、回転に伴って流れる空気を利用して、放熱板の表側のみならず裏側すなわちレーザ光源体側にも、空気を流入させ或いは流出させることができる。従って、放熱板の表裏両面の熱が効率良く伝達され、発熱量の大きなレーザ光源体の冷却にも有効である。
【００１６】
本実施形態に係るピックアップ装置の他の態様では、当該ピックアップ装置は、前記光ディスクの記録又は再生に際して、当該ピックアップ装置を所定の進退方向に進退させる進退手段を更に備え、前記放熱孔は、前記進退方向に交わるように形成される。
【００１７】
この態様によれば、光ディスクの記録又は再生に際して、当該ピックアップ装置が、例えば移動用モータを有する進退手段によって、所定の進退方向（例えば、ガイドシャフトに沿った方向）に進退させられる。そして、この進退方向に交わるように放熱孔が形成されるので、進退時に流れる空気を利用して、放熱板の表側のみならず裏側すなわちレーザ光源体側にも、空気を流入させ或いは流出させることができる。従って、放熱板の表裏両面の熱が効率良く伝達され、発熱量の大きなレーザ光源体の冷却にも有効である。
【００１８】
本実施形態に係るピックアップ装置の他の態様では、前記領域は、前記一の面と前記他の面とにわたる。
【００１９】
この態様によれば、放熱板が有する複数の面のうち、一の面のみならず他の面にもわたって放熱孔が形成される。従って、一方向のみならず多様な方向に流れる空気をレーザ光源体或いは放熱板の冷却に利用できるので、冷却効果が一段と向上し得る。
【００２０】
以上、説明したように、本実施形態のピックアップ装置によれば、ピックアップベース、レーザ光源体、放熱板及び放熱孔を備えるので、レーザ光源体のような発熱部位の温度上昇を一層効果的に抑制することが可能となる。
【００２１】
本実施形態の作用及び他の利得は次に説明する実施例から明らかにされよう。
【実施例】
【００２２】
以下、本発明の実施例を図面に基づいて説明する。
【００２３】
（１）ディスク装置の構成
先ず、本実施例に係るピックアップ装置を備えたディスク装置の構成について、図１を参照して説明する。ここに、図１は、実施例に係る、ピックアップ装置を備えたディスク装置の分解斜視図である。
【００２４】
図１において、ディスク装置１は、ＤＶＤやＣＤ等の光ディスク４１に記録された情報を再生したり或いは光ディスク４１に情報を記録したりするディスク装置であり、外ケース２１と、外ケース２１の内部に設置された内ケース２５と、内ケース２５に対して進退可能に設けられ光学記録媒体としての光ディスク４１が載置されるディスクトレイ２９と、内ケース２５に設けられ光ディスク４１に対して情報の再生又は記録を行う本体部３２と、本体部３２の動作を制御する電子部品を有する回路基板４０とを備えて構成されている。
【００２５】
外ケース２１は、図１中において下面及び前面が開口した上ケース２２と、上ケース２２の下面を閉塞する下ケース２３と、上ケース２２の前面を閉塞する化粧板２４とを備えて構成され、全体としては扁平直方体形状である。
【００２６】
内ケース２５は、上面及び前面が開口し、略中央に孔部２６１を有する底面２６と、この底面２６から立設された側面２７を有する。
【００２７】
ディスクトレイ２９は、略板状で上面には上方に向けて拡径する円形凹状で光ディスク４１が載置される載置凹部３０を有する。このディスクトレイ２９は、略中央部に略長方形状の開口部３１を有する。このディスクトレイ２９は、内ケース２５に設けられたトレイ駆動手段２８により進退される。
【００２８】
本体部３２は、中央に孔部３３１を有し内ケース２５に設置された台座部３３と、台座部３３に設けられ光ディスク４１を回転させる回転駆動手段３４と、台座部３３の孔部３３１の一縁から他縁に移動し光ディスク４１の下面側に設けられた記録部に対してレーザ光の照射及び反射光の検出を行うピックアップ装置５と、ピックアップ装置５を進退移動させる移動手段３７とを備えて構成されている。ここで台座部３３は、平板枠状に形成されており、内ケース２５の孔部２６１に対して台座部３３の孔部３３１が重なるように設置されている。回転駆動手段３４は、本発明に係る「回転手段」の一例であり、光ディスク４１を載せて回転するターンテーブル３５と、このターンテーブル３５を回転駆動させる動力源としてのスピンドルモータ（不図示）とを備えて構成されている。ターンテーブル３５は、光ディスク４１の中心孔４１１に嵌挿される回転軸３５１と、回転軸３５１の外周面にフランジ状に突設され光ディスク４１の軸孔周縁が載置される鍔部３５２を有している。光ディスク４１がディスクトレイ２９に載置され内ケース２５の内側に移動されてきた際には、光ディスク４１はターンテーブル３５上に載置され、また、光ディスク４１の上面は内ケース２５の側面２７に架橋された支持部材３６に回転自在に設けられた回転子３６１により押さえられる。光ディスク４１がターンテーブル３５と回転子３６１とにて挟持された状態でスピンドルモータの駆動力により回転される。ピックアップ装置５については、図２を参照して後述する。移動手段３７は、本発明に係る「進退手段」の一例であり、一対のガイドシャフト３８と、移動用モータ３９とを備えて構成されている。ガイドシャフト３８は、それぞれ台座部３３の孔部３３１の一縁から他縁に軸方向を有して配設されている。ピックアップ装置５に対してガイドシャフト３８が挿通又は係合されている。移動用モータ３９の駆動力によりピックアップ装置５は台座部３３の一縁から他縁に移動される。
【００２９】
回路基板４０は、ピックアップ装置５の下方にピックアップ装置５から所定間隔を有して設けられている。回路基板４０は、移動用モータ３９やスピンドルモータの回転制御や、ピックアップ装置５の制御等を行う電子部品を有している。
【００３０】
（２）情報の読み取りについて
以上のような構成からなるディスク装置１による光ディスク４１の情報の読み取りについて説明する。先ず、ユーザがディスクトレイ２９を外ケース２１及び内ケース２５から外に引き出してディスクトレイ２９に光ディスク４１を載置する。光ディスク４１が載置されたディスクトレイ２９が、内ケース２５の内部に収納される。すると、ターンテーブル３５と回転子３６１に光ディスク４１が挟持されて、ターンテーブル３５の回転により光ディスク４１が回転される。このとき、ピックアップ装置５からレーザ光束が光ディスク４１に向かって発射され、光ディスク４１からの反射光はピックアップ装置５で検出される。この反射光の検出により光ディスク４１から情報が読み出される。また、ピックアップ装置５は、移動手段３７による移動によって光ディスク４１の所定部分にレーザ光束を照射する。すると、光ディスク４１から所定の情報が順次読み出される。
【００３１】
（３）ピックアップ装置の構成について
次に、ピックアップ装置５の構成について図２を参照しながら説明を加える。ここで、図２は、第１実施例に係る、ピックアップ装置の断面ＩＩにおける断面図である。尚、既出の構成と同一の構成については同一の参照符号を付し、その説明を適宜省略する。
【００３２】
図２において、ピックアップ装置５は、本発明に係る「ピックアップベース」の一例であり、筐体としてのピックアップベース５１と、本発明に係る「レーザ光源体」の一例であり、ピックアップベース５１に配設され光ディスク４１に光束を照射する光源体としてのレーザ光源体６１と、レーザ光源体６１から発射されたレーザ光束を光ディスク４１に向かって導くための光学部品８２と、本発明に係る「放熱板」の一例であり、レーザ光源体６１に生じた熱を放熱する放熱部材としての放熱板７１とを備えて構成されている。
【００３３】
ピックアップベース５１は、概略厚板形状で、一縁側がスピンドルモータ３４１の円形状にあわせて円弧状５２（図３の底面図を参照）に形成されている。ピックアップベース５１は、合成樹脂などにより形成されている。ピックアップベース５１には、一方のガイドシャフト３８が挿通される挿通孔５３が一端に設けられ、また、断面略Ｕ字状で他方のガイドシャフト３８をＵ字の内側に挟む係合部５４が他端に設けられている。ピックアップベース５１は、レーザ光源体６１や、レーザ光束を光ディスク４１に向かって反射する光学部品８２を一面側に有している。
【００３４】
レーザ光源体６１は、一端面がレーザ光源体収納部５６から外部に臨んでおり、この一端面に電力ケーブル（不図示）等が接続されるコネクタピン６２を有する。コネクタピン６２が設けられた一端面は、ピックアップベース５１の他縁と左辺が交わる頂点方向を向いており、ターンテーブル３５側とは反対を向いている。このレーザ光源体６１は、ＤＶＤ記録・再生用のレーザ光束を出力するＤＶＤ用光源体６１１と、ＣＤ記録・再生用のレーザ光束を出力するＣＤ用光源体６１２とを備える。
【００３５】
光学部品８２は、レーザ光源体６１から発射されたレーザ光束を光ディスク４１に向かって導く。光学部品８２として、レーザ光源体６１からのレーザ光束を直角にかつピックアップベース５１の一面に平行に反射するハーフミラー８２１と、ハーフミラー８２１からの反射光を直角にかつピックアップベース５１の他面方向に反射する反射ミラー８２２などが設けられている。反射ミラー８２２によりピックアップベース５１の他面側に反射されたレーザ光束は、レーザ発射部５７から光ディスク４１に向かって反射される。また、光ディスク４１からの反射光を検出する検出器１７０（図３を参照）等も設けられている。
【００３６】
放熱板７１は、鉄、ステンレス、アルミニウム、銅或いはその他の金属材料で形成されており、ピックアップベース５１の一面側に設けられている。そして、レーザ光源体６１から発生する熱を、熱伝導ゲル８１を介して、外部に放熱する。
【００３７】
（４）放熱板の構成について
ここで、図３を用いて放熱板７１の構成について説明を加える。ここに、図３は、実施例に係る、ピックアップ装置の側面図及び底面図である。
尚、既出の構成と同一の構成については同一の参照符号を付し、その説明を適宜省略する。
【００３８】
図３において、図３（ａ）はピックアップ装置５の側面図を、図３（ｂ）はピックアップ装置５の底面図を夫々示す。放熱板７１は、ピックアップ装置５の底面全体を覆う平板状の基面部７２、基面部７２と一体的に形成されており基面部７２に対して略直角に曲げられた側面部７４、基面部７２と側面部７４との境界であり放熱板７１が曲げられている部位としての曲げ部７３、曲げ部７３を部分的に含むように放熱板７１に開けられた放熱孔７５を備える。この放熱孔７５は、本発明に係る「放熱孔」の一例であり、放熱板７１が有する基面部７２と側面部７４との境界としての曲げ部７３の少なくとも一部を含む領域において、放熱板７１の表裏を貫通するように、一又は複数の放熱孔７５が形成されている。
【００３９】
この放熱板７１を利用して行われる、レーザ光源体６１から発せられる熱の放熱について説明する。レーザ光源体６１からレーザ光束が発射される際には、レーザ光源体６１が熱を発する。レーザ光源体６１から発生した熱は、レーザ光源体６１の一端面から熱伝導ゲル８１に伝わり、更に、放熱板７１に伝熱する。この熱は、やがて放熱板７１全体に伝熱され、放熱板７１の外気に触れる部分から外部の空気に対して放熱される。具体的に先ず、放熱板７１の側面部７４についてみると、表裏いずれの面も外気に触れている。更に、放熱板７１の基面部７２についてみると、ピックアップベース５１とは反対側の面が外気に触れていることは勿論、ピックアップベース５１に対向する面とピックアップベース５１との間に所定間隔があるので、ピックアップベース５１と対向する面も外気に触れている。すなわち、放熱板７１の略全面にわたって外気との接触がある。よって、レーザ光源体６１から発生した熱は、側面部７４及び基面部７２の略全面から放熱される。ここで仮に放熱孔７５が形成されていないと、放熱された熱の一部が、放熱板７１とピックアップベース５１との間の空間内で淀んでしまい、放熱効果が損なわれる虞がある。然るに、本実施例に係る放熱板７１には、放熱孔７５が形成されているので、放熱孔７５を介して比較的冷たい空気が放熱板７１とピックアップベース５１との間の空間に流れ込み、他方で、この空間内で淀みがちな熱が外部へと流出される。特に、光ディスク４１の回転による空気の流れや、ピックアップ装置５の移動手段３７による進退移動に伴う空気の流れなどにより、空気の流れが一層強められる。従って、レーザ光源体６１で発生された熱が好適に放熱され、もってレーザ光源体６１の温度上昇が好適に抑制されることとなり、実践上非常に有利である。
【００４０】
以上のようなピックアップ装置５によれば、次の効果を奏する。
【００４１】
本実施例に係るピックアップ装置５は、ピックアップベース５１、レーザ光源体６１、放熱板７１及び放熱孔７５を備えるので、レーザ光源体６１のような発熱部位の温度上昇を一層効果的に抑制することが可能となる。より詳しくは、光ディスク４１の回転或いはピックアップ装置５の移動により流れる空気が、この放熱孔７５を介して、放熱板７１の表側のみならず裏側すなわちレーザ光源体６１側にも、流入し或いは流出する。従って、レーザ光源体６１からの熱が効率良く放熱される。加えて、放熱孔７５は曲げ部７３の少なくとも一部を含むので、放熱板７１を曲げ部７３で曲げ易くなる。すなわち放熱板７１の加工性も向上するので、実践上非常に有利である。
【００４２】
加えて、放熱板７１は、少なくともレーザ光源体６１を覆っており、典型的には当該ピックアップ装置５の底面全体を覆っている。従って、上記空気が放熱孔７５を介して放熱板７１の外部へ逃げれるので、放熱に供する面積が極力確保しつつも発熱部位を一層効率良く冷却できる。
【００４３】
加えて、光ディスク４１の記録又は再生に際して、光ディスク４１が、回転駆動手段３４によって、ターンテーブル３５と回転子３６１とにて挟持された状態で回転される。そして、このときの光ディスク４１の回転面に沿うようにして、放熱孔７５が形成されている。故に、回転に伴って流れる空気を利用して、放熱板７１の表側のみならず裏側すなわちレーザ光源体６１側にも、空気を流入させ或いは流出させることができる。従って、放熱板７１の表裏両面の熱が効率良く伝達され、発熱量の大きなレーザ光源体６１の冷却にも有効である。
【００４４】
加えて、光ディスク４１の記録又は再生に際して、当該ピックアップ装置５が、移動用モータ３９によって、ガイドシャフト３８に沿った方向に進退させられる。そして、この進退方向に交わるように放熱孔７５が形成されるので、進退時に流れる空気を利用して、放熱板７１の表側のみならず裏側すなわちレーザ光源体６１側にも、空気を流入させ或いは流出させることができる。従って、放熱板７１の表裏両面の熱が効率良く伝達され、発熱量の大きなレーザ光源体６１の冷却にも有効である。
【００４５】
加えて、放熱板７１が有する複数の面のうち、基面部７２のみならず側面部７４にもわたって放熱孔７５が形成される。従って、一方向のみならず多様な方向に流れる空気をレーザ光源体６１或いは放熱板７１の冷却に利用できるので、冷却効果が一段と向上し得る。
【００４６】
以上、本実施例に係るピックアップ装置５によると、ピックアップベース５１、レーザ光源体６１、放熱板７１及び放熱孔７５を備えるので、レーザ光源体６１のような発熱部位の温度上昇を一層効果的に抑制することが可能となる。
【００４７】
尚、本発明は、上述した実施例に限られるものではなく、請求の範囲及び明細書全体から読み取れる発明の要旨、或いは思想に反しない範囲で適宜変更可能であり、そのような変更を伴うピックアップ装置及び方法、並びにコンピュータプログラムもまた、本発明の技術的範囲に含まれるものである。具体的に例えば、ピックアップベース５１の形状や、放熱板７１の形状は上記実施形態に限られえるものではなく、種種の形状を取り得ることは勿論である。また、レーザ光源体６１も特にＤＶＤ用、ＣＤ用で分離された光源体に限られるものでものない。２つの異なる波長のレーザ光束を出力することができる２波長のレーザ光源体や、ＢＤを含む３波長、或いはその他の波長のレーザ光も照射可能なのレーザ光源体を用いてもよい。放熱孔７５の形状や数、大きさなどは任意であり、特に限定されるものではない。放熱孔７５を、曲げ部７３以外の箇所に追加することも勿論よい。ただし、放熱孔７５を設けすぎると、放熱板７１の面積が減少して放熱効果が犠牲になり得る。このような放熱板７１と放熱孔７５との間のトレードオフ問題を勘案した上で放熱孔７５を適度に設けることで、実情に即した好ましい放熱効果が得られることとなる。
【図面の簡単な説明】
【００４８】
【図１】実施例に係る、ピックアップ装置を備えたディスク装置の分解斜視図である。
【図２】実施例に係る、ピックアップ装置の断面ＩＩにおける断面図である。
【図３】実施例に係る、ピックアップ装置の側面図及び底面図である。
【符号の説明】
【００４９】
１  ディスク装置
５  ピックアップ装置
４１  光ディスク
２１  外ケース
２５  内ケース
２９  ディスクトレイ
３２  本体部
４０  回路基板
５１  ピックアップベース
６１  レーザ光源体
８２  光学部品
７１  放熱板
７２  基面部
７４  側面部
７３  曲げ部
７５  放熱孔
【図１】
2008059623.tif 000003
【図２】
2008059623.tif 000004
【図３】
2008059623.tif 000005